(57)【要約】      （修正有）【課題】データ駆動回への電力消費と発熱を減少させるプラズマディスプレイパネルのデータ制御方法及び装置を提供する。【解決手段】前記プラズマディスプレイ装置は、前記スキャン電極を走査する走査駆動部と、前記走査に対応したデータ信号を前記データ電極に供給するデータ駆動部と、前記走査駆動部及び前記データ駆動部を制御する制御装置を含み、また入力されるデータがカラム方向及びロー方向とでサブ画素毎に論理の反転を繰り返すデータパターンを含む場合に、奇数番目のスキャン電極を順に走査する第１走査と偶数番目のスキャン電極を順に走査する第２走査を行うように、前記走査駆動部を制御する制御部を含む。  【選択図】図５
2006079063.tif 000002
【特許請求の範囲】
【請求項１】
スキャン電極及び前記スキャン電極と交差されるデータ電極を具備したプラズマディスプレイ装置において、 
走査手順にしたがって前記スキャン電極を走査する走査駆動部と、  
前記データ電極に前記走査手順に対応するデータ信号を供給するデータ駆動部と、 
前記走査駆動部及び前記データ駆動部を制御して、入力されるデータがカラム方向及びロー方向でサブ画素毎に論理の反転を繰り返すデータパターンを含む場合に、奇数番目のスキャン電極を順に走査する第１走査と偶数番目のスキャン電極を順に走査する第２走査を行うように前記走査駆動部を制御する制御部と、で構成されることを特徴とするプラズマディスプレイ装置。  
【請求項２】
前記制御装置は２以上の奇数番目のスキャン電極を順に走査する第１走査と２以上の偶数番目のスキャン電極を順に走査する第２走査を繰り返すように前記走査駆動部を制御することを特徴とする、請求項１記載のプラズマディスプレイ装置。
【請求項３】
前記セルは画素であることを特徴とする、請求項１記載のプラズマディスプレイ装置。
【請求項４】
前記セルはサブ画素であることを特徴とする、請求項１記載のプラズマディスプレイ装置。
【請求項５】
前記セルは放電セルであることを特徴とする、請求項１記載のプラズマディスプレイ装置。
【請求項６】
多数のスキャン電極及び前記多数のスキャン電極を交差する多数のデータ電極を含むプラズマディスプレイ装置において、
お互いに接しないスキャン電極と少なくとも一つのデータ電極との交差部に供給されるデータが同一論理レベルを持つ場合に、前記接しないスキャン電極を連続して走査する走査駆動部と、
前記走査に対応したデータ信号を前記多数のデータ電極に供給するデータ駆動部を含むことを特徴とするプラズマディスプレイ装置。
【請求項７】
プラズマディスプレイ装置において、
スキャン電極と、
前記スキャン電極と交差するデータ電極と、
前記スキャン電極と前記データ電極との交差部に配置されたサブ画素セルと、
前記セルに供給されるデータパターンがカラム方向でサブ画素セル毎に反転する場合に、前記スキャン電極を一つおきに走査する走査駆動部と、
前記走査駆動部の走査手順に対応したデータ信号を前記データ電極に供給するデータ駆動部を含むことを特徴とするプラズマディスプレイ装置。 
【請求項８】
前記セルは画素であることを特徴とする、請求項７記載のプラズマディスプレイ装置。
【請求項９】
前記セルはサブ-画素であることを特徴とする、請求項７記載のプラズマディスプレイ装置。
【請求項１０】
前記セルは放電セルであることを特徴とする、 請求項７記載のプラズマディスプレイ装置。
【請求項１１】
多数のスキャン電極及び前記多数のスキャン電極を交差する多数のデータ電極を持つプラズマディスプレイ装置の駆動方法において、 
お互いに接しないスキャン電極と少なくとも一つのデータ電極との交差部に供給されるデータが同一論理レベルを持つ場合に、前記接しないスキャン電極を連続して走査する段階と、
前記走査手順に対応したデータ信号を前記多数のデータ電極に供給する段階を含むことを特徴とするプラズマディスプレイ装置の駆動方法。
【請求項１２】
前記セルは画素であることを特徴とする、１１記載のプラズマディスプレイ装置の駆動方法。
【請求項１３】
前記セルはサブ-画素であることを特徴とする、１１記載のプラズマディスプレイ装置の駆動方法。
【発明の詳細な説明】
【技術分野】
【０００１】
本発明はプラズマディスプレイパネルのデータ制御装置に関し、より詳しくはデータ駆動回路で電力消費と発熱を減少させるプラズマディスプレイパネルのデータ制御方法及び装置に関する。
【背景技術】
【０００２】
陰極管(Ｃａｔｈｏｄｅ  Ｒａｙ  Ｔｕｂｅ； "ＣＲＴ")に比べて表示装置の重量及び嵩を減らすことができる平板表示装置に対する関心が大きくなっている。 このような平板表示装置は液晶表示装置(ＬＩｑｕｉｄ  Ｃｒｙｓｔａｌ Ｄｉｓｐｌａｙ； "ＬＣＤ")、    プラズマディスプレイパネル(Ｐｌａｓｍａ  ＤＩｓｐｌａｙ  ＰａＮｅＬ ： "ＰＤＰ")、  電界放出表示装置(Ｆｉｌｄ  Ｅｍｉｓｓｉｏｎ  Ｄｉｓｐｌａｙ  ； "ＦＥＤ")、電界発光装置(Ｅｌｅｃｔｒｏ−ｌｕｍｉｎｅｓｃｅｎｔｅ： "ＥＬ")などがある。このような平板表示装置たちはデジタル信号またはアナログデータを前記表示パネルに供給する。
【０００３】
このような平板表示装置の中で、ＰＤＰは例えばＨｅ＋Ｘｅ、 Ｎｅ＋ＸｅまたはＨｅ＋Ｎｅ＋Ｘｅなどのガスの放電の時発生する約１４７ｎｍの紫外線にしたがって発光される蛍光体を使うことで文字またはグラフィックを含んだ画像を表示するようになっている。        ＰＤＰは薄膜化と大型化が容易いだけでなく最近の技術開発に負って大きく向上した画質を提供する。 特に、 ３電極交流面放電型ＰＤＰは放電の時表面に壁電荷が蓄積される一方放電にしたがって発生されるスパッタリングから電極が保護されるから低電圧駆動と長い製品寿命の長所を持つ。
【０００４】
前記３電極交流面放電型ＰＤＰは各フレームを発光回数が他の様々サブフィールドで分けて駆動することでお互いに違う階調(Ｇｒａｙ  Ｌｅｖｅｌ)を表示する。 各サブフィールドはまた放電を均一に起こすためのリセット期間、放電セルを選択するためのアドレス期間及び放電回数にしたがって階調を具現する維持期間で分けられる。例えば、２５６階調で画像を表示するために、 １/６０秒(１６。６７ｍs)にあたるフレーム期間は図１のように８個のサブフィールド(ＳＦ１乃至ＳＦ８)で分けられるようになる。 ８個のサブフィールドたち(ＳＦ１乃至ＳＦ８)それぞれは上で説明するのようなリセット期間、アドレス期間及び維持期間でまた分けられるようになる。  図１に説明されたのように各サブフィー ルドのリセット期間及びアドレス期間は各サブフィールド毎に等しい一方に、維持期間は各サブフィールドで２n(n=０、１、２、３、４、５、６、７)の割合で増加される。 このように各サブフィールドで維持期間が変わるようになるので画像の階調が具現されるようになる。  
【０００５】
ところでＰＤＰは二つの電極間に放電を起こすのに必要な駆動電圧が放電特性と大きいパネル大きいことにしたがって比較的高電圧だから相対的に電力消費が大きい。 また、 ＰＤＰのデータ電極とスキャン電極を駆動するためのドライバー集積回路(Ｉｎｔｅｇｒａｔｅｄ  Ｃｉｒｃｕｉｔ； “ＩＣ”)は放電を起こすために高電圧を各電極(Ｙ、Ｚ、及びＸ)に供給しなければならない。したがって、消費電力及び 発熱量が相対的に大きい。 
【０００６】
ＰＤＰで、電力は大部分維持期間で消費して、その次にはアドレス期間で多く消費する。 例えば、維持期間は数百ワット(Ｗ)の電力が必要で、またアドレス期間は数十Ｗの電力が必要である。 維持期間の電力消費は主にＰＤＰの効率に寄与し、またアドレス期間の電力消費はＰＤＰの静電容量値(Ｃ)と電圧(Ｖ)及びドライバーＩＣのスイチング回数に依存する。   
【０００７】
ＰＤＰの静電容量(Ｃ)は、図２のように接したデータ電極(Ｘ１乃至Ｘn)間の静電容量(Ｃ１)、データ電極(Ｘ１乃至Ｘn)と接したスキャン電極(Ｙ１乃至Ｙｍ)間の静電容量(Ｃ２)、スキャン電極(Ｙ１乃至Ｙｍ)と接した共通維持電極(Ｚ)の間の静電容量(Ｃ３)及びアドレス電極(Ｘ１~Ｘn)と共通維持電極(Ｚ)の間の静電容量(Ｃ４)を含む。 アドレス期間の消費電力中９０%以上はＰＤＰの充/放電の時発生する変位電流にしたがって発生される。変位電流にしたがって発生される、アドレス期間の消費電力の量は下の数式１で示すことができる。 
P = ＩＶ = ＣＶ２ｆ                      (１)
ここで、Ｉは電流、Ｖはデータパルスの電圧、Ｃはアドレス電極(Ｘ)とここに接した他の電極(Ｙ及びＺ)間の静電容量値、またｆはデータドライバーＩＣの単位時間当り平均スイチング回数である。 
しかし、もしデータドライバーＩＣにエネルギー回収回路が採用されたら、データドライバーＩＣの消費電力は次の数式２で示すことができる。 
P = ＩＶ = ＣＶ２ｆ(１-α)                  (２)
ここで、 αはエネルギー回収回路によるエネルギー回収效率を示す。 データドライバーＩＣにおいて、エネルギー回収效率(α)はおおよそ最大０．５位である。
【０００８】
数式１及び数式２で分かるように、アドレス期間の消費電力を減らすためには電流(Ｉ)を低める方法、静電容量(Ｃ)を低める方法、電圧(Ｖ)を低める方法、及びスイチング回数(ｆ)を減らす４種方法を使うことができる。 ところが、電圧(Ｖ)を低める方法は放電セルで放電を起こすために電圧を要するから限界がある。 また、ＰＤＰの静電容量(Ｃ)を減らす方法は 高解像度/大画面化を志向する方向性に照らして限界がある。 
【０００９】
データドライバーＩＣのスイチング回数(ｆ)は、図３に図示されたようにデータパターンがそれぞれのカラム方向とロー方向の両方向で隣接した放電セルごとにハイ論理レベルとロー論理レベルとを繰り返す場合に、最大になる。言い換えれば、図３に図示されたデータパターンは、データドライバーＩＣが毎水平信号毎に繰り返し的にスイチング素子をオン/オフさせることを必要とする。
【００１０】
データドライバーＩＣのスイチング素子が毎水平週期毎にオン/オフを繰り返せば、消費電力がおおきいだけでなく、熱がデータドライバーＩＣで発生される問題点がある。 実際で、図３のようなデータパターンが所定時間以上持続的に供給されれば、データドライバーＩＣで高い熱が発生されて、この結果データドライバーＩＣが破損される虞がある。 
【００１１】
また、データドライバーＩＣのスイチン回数(ｆ)は、図４のように、画素セル２０が例えば赤色サブ画素セル(Ｒ)、緑色サブ画素セル(Ｇ)及び青色サブ画素セル(Ｂ)を含む、それぞれのカラム方向とロー方向の両方向で隣接した放電セルごとにハイ論理レベルとロー論理レベルとが繰り返されるデータパターンが入力される時にも大きい。言い換えて、図３に示すデータパターンはデータドライバーＩＣが毎水平信号毎に繰り返し的にスイチング素子をオン/オフさせることを必要とする。
【００１２】
そして、隣接したセル間に電圧差が大きいデータパターン、すなわち上で言及したのようなデータパターンが表示される時、ＰＤＰの静電容量(Ｃ)も高くなる。 
【００１３】
以上で分かるように、図３及び図４のようなデータパターンではＰＤＰの静電容量とデータドライバーＩＣのスイチング回数が大きくなって変位電流が大きくなる。 したがって、このようなパターン中何れ一つが表示される時、消費電力と発熱量が相対的に大きくなる。
【発明の開示】
【発明が解決しようとする課題】
【００１４】
これにしたがって、本発明の目的は従来の短所及び限界による問題を実質的にとり除くプラズマディスプレイパネルのデータ制御装置及びそれを利用した方法を提供することにある。
【課題を解決するための手段】
【００１５】
本発明の実施例によれば、スキャン電極及び前記スキャン電極と交差するデータ電極を具備したプラズマディスプレイ装置において、前記装置は、走査手順にしたがって前記スキャン電極を走査する走査駆動部と、前記走査手順に対応したデータ信号を前記データ電極に供給するデータ駆動部、及び前記走査駆動部及び前記データ駆動部を制御して、入力データがカラム方向でセルの論理の反転を繰り返すデータパターンを含む場合に、奇数番目のスキャン電極を順に走査する第１走査と偶数番目のスキャン電極を順に走査する第２走査を行うように前記走査駆動部を制御する制御部を含む。
【００１６】
本発明の一実施形態では、前記制御装置は２以上の奇数番目のスキャン電極を順に走査する第１走査と２以上の偶数番目のスキャン電極を順に走査する第２走査を繰り返すように前記走査駆動部を制御することを特徴とする。
【００１７】
本発明の一実施形態では、前記セルは画素であることを特徴とする。
【００１８】
本発明の一実施形態では、前記セルはサブ画素であることを特徴とする。
【００１９】
本発明の一実施形態では、前記セルは放電セルであることを特徴とする。
【００２０】
本発明の一実施形態では、多数のスキャン電極及び前記多数のスキャン電極を交差する多数のデータ電極を含むプラズマディスプレイ装置において、お互いに接しないスキャン電極と少なくとも一つのデータ電極との交差部に供給されるデータが同一論理レベルを持つ場合に、前記接しないスキャン電極を連続して走査する走査駆動部と、前記走査に対応したデータ信号を前記多数のデータ電極に供給するデータ駆動部を含むことを特徴とする。
【００２１】
本発明の一実施形態では、スキャン電極と、前記スキャン電極と交差するデータ電極と、前記スキャン電極と前記データ電極との交差部に配置されたサブ画素セルと、前記セルに供給されるデータパターンがカラム方向でサブ画素セル毎に反転する場合に、前記スキャン電極を一つおきに走査する走査駆動部と、前記走査駆動部の走査手順に対応したデータ信号を前記データ電極に供給するデータ駆動部を含むことを特徴とする。
【００２２】
本発明の一実施形態では、前記セルは画素であることを特徴とする。
【００２３】
本発明の一実施形態では、前記セルはサブ-画素であることを特徴とする。
【００２４】
本発明の一実施形態では、前記セルは放電セルであることを特徴とする。
【００２５】
本発明の一実施形態では、多数のスキャン電極及び前記多数のスキャン電極を交差する多数のデータ電極を持つプラズマディスプレイ装置の駆動方法において、お互いに接しないスキャン電極と少なくとも一つのデータ電極との交差部に供給されるデータが同一論理レベルを持つ場合に、前記接しないスキャン電極を連続して走査する段階と、前記走査手順に対応したデータ信号を前記多数のデータ電極に供給する段階を含むことを特徴とする。
【００２６】
本発明の一実施形態では、前記セルは画素であることを特徴とする。
【００２７】
本発明の一実施形態では、前記セルはサブ-画素であることを特徴とする。
【発明の効果】
【００２８】
本発明によるデータ制御方法及び装置によれば画素セルまたはサブ画素セルそれぞれのカラム方向とロー方向皆でハイ論理とロー論理が繰り返されるデータパターンが入力される時スキャン電極を少なくとも図２ブロック以上に分けて走査信号を供給する。このようにスキャン電極が少なくとも図２ブロック以上に分けて走査信号が供給されればデータ電極に供給されるデータ信号の極性変化が最小化されて、これに従って消費電力及びデータ集積回路の発熱量を減らすことができる效果がある。 
【発明を実施するための最良の形態】
【００２９】
以下、本発明の実施例を添付した図面を参照して詳細に説明する。
【００３０】
図５は本発明の実施例によるプラズマディスプレイパネルのデータ制御装置を示す図である。図５を参照すれば、前記データ制御装置は第１逆ガンマ調整部４１Ａ、データ整列部４６、ゲイン調整部４２、誤差拡散部４３、サブフィールドマッピング部４４、及び前記第１逆ガンマ調整部４１Ａ及び前記データ整列部４６の間に繋がれたデータパターン検出部４５を含む。 また、前記データ制御装置は第２逆ガンマ調整部４１Ｂ、波形発生部４８及び前記第２逆ガンマ調整部４１Ｂと波形発生部４８の間に接続されたＡＰＬ計算部４７を含む。
【００３１】
前記第１及び第２逆ガンマ調整部(４１A及び４１Ｂ)は映像信号の階調値に対する輝度で線形的に変換させるために入力ライン４０から受信されたガンマ補正デジタルビデオデータ(ＲＧＢ)を逆変換させる。
【００３２】
前記ゲイン調整部４２は赤色、緑及び青色データの有效利得を調整して温度による色変化を償う。前記誤差拡散部４３は前記ゲイン調整部４２から入力されるデジタルビデオデータ(ＲＧＢ)の陽子化誤差を拡散させることで輝度値を微細に調整する。 前記サブフィールドマッピング部４４は誤差拡散部４３から入力されたデータを予め貯蔵されたサブフィールドビットパターンにマッピングして、またそのマッピングデータをデータパターン検出部４５で供給する。 
【００３３】
前記データパターン検出部４５は各サブフィールド別にマッピングされたビットに基礎して既設定されたデータパターンを検出して、また検出されたデータパターンに対応される制御信号を波形発生部４８及びデータ整列部４６で供給する。 前記波形発生部４８はデータパターン検出部４５から供給される制御信号に対応されるように走査手順を制御する。したがって、各サブフィールド別に走査手順が相異に設定されることができる。
【００３４】
前記データ整列部４６はサブフィールドマッピング部４４から入力されるデジタルビデオデータをパネル４９のデータ駆動部５０に供給する。データ整列部４６はデータパターン検出部４５から供給される制御信号に対応されるようにデータの供給手順を制御する。
【００３５】
前記ＡＰＬ計算部４７は第２逆ガンマ調整部４１Ｂから入力されるデジタルビデオデータ(ＲＧＢ)に対して画面単位で平均輝度、すなわち、平均画面レベル(ＡＰＬ)を計算して、また計算されたＡＰＬに対応される維持パルス数に関する情報を出力する。 
【００３６】
前記波形発生部４８はタイミング制御信号を生成するためにＡＰＬ計算部４７からの維持パルス数情報に応答して、またその生成されたタイミング制御信号をパネル４９で供給する。前記パネル４９はデータ整列部４６から供給されたデータに対応する画像を表示する。 これのために、パネル４９には図６のようににデータ駆動部５０及び走査駆動部５２が接続される。 
【００３７】
図６を参照すれば、データ駆動部５０はデータ整列部４６で供給されるデータをデータ信号で変換して、また前記データ信号をデータ電極(Ｘ１乃至Ｘn)に供給する。前記走査駆動部５２はスキャン電極(Ｙ１乃至Ｙｍ)に供給されるスキャンパルスを供給する為に波形発生部４８から供給される制御信号に応答する。前記スキャンパルスはそれぞれのスキャン電極に順に供給されるとか、前記スキャン電極(Ｙ１乃至Ｙｍ)が前記制御信号に応答して２個以上のブロックに仕分けされて前記スキャン信号が各ブロックに順に印加されることができる。
【００３８】
予め定義されたビットパターンを参照して、データパターン検出部４５は、検出されたデータパターンが図３及び図４のように放電セル１０または画素セル２０それぞれのカラム方向とロー方向でハイ論理とロー論理が繰り返されるパターンで構成されるデータパターンなのかを判断する。たとえ本発明は、図３及び図４に示すデータパターンを例を挙げて説明しているが、他の繰り返しデータパターンについても同様に適用することができる。即ち、検出したビットパターンと、予め定義した他のビットパターンとを比較し、他のビットパターンを検出するように構成することもできる。
【００３９】
もしデータパターン検出部４５で検出されたパターンが例えば図３及び図４に示すようにパターンと同一の予め定義された繰り返しデータパターンがない場合、データパターン検出部４５は、一般パターン制御信号を波形発生部４８及びデータ整列部４６に供給する。一般パターン制御信号を供給受けた波形発生部４８は、第１スキャン電極(Ｙ１)乃至 第ｍスキャン電極(Ｙｍ)に順にスキャンパルスが供給されるように走査駆動部５２を制御する。一般パターン制御信号を供給受けたデータ整列部４６は、第１スキャン電極(Ｙ１)と接続された放電セルから第ｍスキャン電極(Ｙｍ)に接続された放電セルでデータ信号が順に供給されることができるようにデータを整列してデータ駆動部５０で供給する。 
【００４０】
一方、もしデータパターン検出部４５で、例えば図３及び図４に説明されたそれぞれのデータパターンのような繰り返しデータパターンが検出されれば、データパターン検出部４５は繰り返しパターン制御信号を波形発生部４８及びデータ整列部４６に供給する。 
【００４１】
波形発生部４８が繰り返しパターン制御信号を受信する時、波形発生部４８は、繰り返しパターンに対応する既に設定設定された走査手順でスキャン電極(Ｙ１乃至Ｙｍ)にスキャンパルスが供給されるように走査駆動部５２を制御する。 例えば、図３及び図４に説明されたパターン中の一つが検出されれば、スキャン電極は２個のブロックで分けられて、スキャンパルスが一つのブロックの中にあるスキャン電極にそれぞれ順に供給される。さらに具体的には、走査駆動部５２は波形発生部４８の制御によって奇数(ｏｄｄ)番目スキャン電極(Ｙ１、Ｙ３、Ｙ５・・・)と偶数(ｅｖｅｎ)番目スキャン電極(Ｙ２、Ｙ４、Ｙ６、 ・・・)で分ける。次に、スキャンパルスが奇数番目スキャン電極に順に印加されて、その後スキャンパルスが偶数番目スキャン電極に順に供給される。その反対も可能である。奇数番目のスキャン電極を走査する過程と偶数番目のスキャン電極を走査する過程中では何れのスキャン電極ブロックが先に走査されても構わない。
【００４２】
繰り返しパターン制御信号を受信したデータ整列部４６は、走査手順に対応されるようにデータを整列して、整列されたデータをデータ駆動部５０に供給する。 例えば、走査手順が上で言及した奇数及び偶数走査手順である場合に、データ整列部４６は、奇数(ｏｄｄ)番目スキャン電極(Ｙ１、Ｙ３、Ｙ５、・・・)に対応されるデータを供給すると共に、偶数(ｅｖｅｎ)番目スキャン電極(Ｙ２、Ｙ４、Ｙ６、・・・)に対応されるデータを供給する。データ駆動部５０は、データ整列部４６から供給されるデータをデータ信号で変換して、変換されたデータ信号をデータ電極(Ｘ１乃至Ｘn)に供給する。 
【００４３】
動作過程を詳細に説明するために、図３に示すように放電セル１０のカラム方向とロー方向でハイ論理とロー論理が繰り返されるデータパターンが検出されると仮定すれば、、走査駆動部５２は図７ａ及び図７ｂのように奇数(ｏｄｄ)番目スキャン電極(Ｙ１、Ｙ３、Ｙ５、・・・)と偶数(ｅｖｅｎ)番目スキャン電極(Ｙ２、Ｙ４、Ｙ６、・・・)で分けてスキャンパルスを供給する。即ち、走査駆動部５２は、図７ａのように奇数(ｏｄｄ)番目スキャン電極(Ｙ１、Ｙ３、Ｙ５、・・・)にスキャンパルスを供給した後、偶数(ｅｖｅｎ)番目スキャン電極(Ｙ２、Ｙ４、Ｙ６、・・・)にスキャンパルスを供給する。
【００４４】
図７ａに示すように奇数番目スキャン電極(Ｙ１、Ｙ３、Ｙ５、・・・)でスキャンパルスが供給される時、それぞれのデータ電極(Ｘ１乃至Ｘn)では等しい極性のデータ信号が供給される。 言い換えて、それぞれのデータ電極(Ｘ１乃至Ｘn)に供給されるデータ信号の極性は水平信号毎に変化されないで、図８ａのようにすべての奇数番目スキャン電極(Ｙ１、Ｙ３、Ｙ５、)にスキャンパルスが供給されるまで等しい極性を維持する。 
【００４５】
すべての奇数番目スキャン電極(Ｙ１、Ｙ３、Ｙ５、・・・)でスキャンパルスが供給された後、走査駆動部５２は、図７ｂのように偶数番目スキャン電極(Ｙ２、Ｙ４、Ｙ６、・・・)にスキャンパルスを順に供給する。したがって、それぞれのデータ電極(Ｘ１乃至Ｘn)に供給されるデータ信号の極性は水平信号毎に変化されないで、図８ｂのようにすべての偶数番目スキャン電極(Ｙ２、Ｙ４、Ｙ６、)にスキャンパルスが供給されるまで等しい極性を維持する。 実際に、データ電極(Ｘ１乃至Ｘn)に供給されるデータ信号の極性は、最後の奇数番目スキャン電極(Ｙｍ-１)でスキャンパルスが供給された後、偶数番目のうち一番目にスキャンされるスキャン電極(Ｙ２)にスキャンパルスが供給される時にだけ変化されて、その外には等しい極性を維持する。
【００４６】
本発明によれば、データ駆動部５０のスイチング素子はすべての奇数番目スキャン電極(Ｙ１、Ｙ３、Ｙ５、・・・)でスキャンパルスが供給される期間と、すべての偶数番目スキャン電極(Ｙ２、Ｙ４、Ｙ６、・・・)でスキャンパルスが供給される期間の間、等しい状態(オンまたはオフ状態)を維持する。これに従って消費電力の消耗を低減すること共にデータ駆動部５０で高い熱が発生されることを防止することができる。 
【００４７】
画素セル２０のカラム方向とロー方向でハイ論理とロー論理が繰り返されるデータパターンが検出される時にも、走査駆動部５２は、図９ａ及び図９ｂのように、奇数(ｏｄｄ)番目スキャン電極(Ｙ１、Ｙ３、Ｙ５、・・・)と偶数(ｅｖｅｎ)番目スキャン電極(Ｙ２、Ｙ４、Ｙ６、・・・)とに分けてスキャンパルスを供給する。 
【００４８】
図９ａのように奇数番目スキャン電極(Ｙ１、Ｙ３、Ｙ５、・・・)でスキャンパルスが供給される時、それぞれのデータ電極(Ｘ１乃至Ｘn)では等しい極性(ハイまたはロー)のデータ信号が供給される。言い換えて、それぞれのデータ電極(Ｘ１乃至Ｘn)に供給されるデータ信号の極性は水平信号毎に変化されないで、図１０ａのようにすべての奇数番目スキャン電極(Ｙ１、Ｙ３、Ｙ５、・・・)にスキャンパルスが供給されるまで等しい極性を維持する。 
【００４９】
すべての奇数番目スキャン電極(Ｙ１、Ｙ３、Ｙ５、・・・)でスキャンパルスが供給された後走査駆動部５２は、図９ｂのように偶数番目スキャン電極(Ｙ２、Ｙ４、Ｙ６、・・・・)でスキャンパルスを順に供給する。この時、データ駆動部５０は、それぞれのデータ電極(Ｘ１乃至Ｘn)で等しい極性を持つデータ信号を供給する。 言い換えて、それぞれのデータ電極(Ｘ１乃至Ｘn)に供給されるデータ信号の極性は水平信号毎に変化されないで、図１０ｂのようにすべての偶数番目スキャン電極(Ｙ２、Ｙ４、Ｙ６、)にスキャンパルスが供給されるまで等しい極性を維持する。実際に、データ電極(Ｘ１乃至Ｘn)に供給されるデータ信号の極性は最後の奇数番目スキャン電極(Ｙｍ-１)でスキャンパルスが供給された後、偶数番目スキャン電極(Ｙ２)のうち一番目にスキャンされるスキャン電極にスキャンパルスが供給される時にだけ変化されて、その外には等しい極性を維持する。
【００５０】
本発明によれば、データ駆動部５０のスイチング素子は、すべての奇数番目スキャン電極(Ｙ１、Ｙ３、Ｙ５、・・・)にスキャンパルスが供給される期間と、すべての偶数番目スキャン電極(Ｙ２、Ｙ４、Ｙ６、・・・)でスキャンパルスが供給される期間の間等しいオンまたはオフ状態(ハイまたはロー状態)を維持する。これにしたがって、電力消費を減らして、またデータ駆動部５０で高い熱が発生されることを防止することができる。
【００５１】
上述したところのように、本発明によれば、予め定義されたデータパターンが検出される時スキャン電極(Ｙ１乃至Ｙｍ)が２個のブロックで分けられて、これらのブロックそれぞれに順にスキャンパルスが供給される。 しかし、前記スキャン電極は２個以上のブロックで分けられることもできる。例えば、スキャン電極(Ｙ１乃至Ｙｍ)はスキャンパルスを受信するために４個のブロックで分けられることもできる。
【００５２】
データパターン検出部４５から繰り返しパターン制御信号を受信した波形発生部４８はスキャン電極(Ｙ１乃至Ｙｍ)を４個のブロックで分けて、このブロックそれぞれに順にスキャンパルスが供給されることができるように走査駆動部５２を制御する。 ここで、前記スキャン電極(Ｙ１乃至Ｙｍ)は、ｉ(ｉは１、５、９、１３、・・・)番目スキャン電極(Ｙｉ)を含む第１ブロック(Ｙ１、Ｙ５、Ｙ９、・・・)、 ｉ＋１番目スキャン電極(Ｙｉ＋１)を含む第２ブロック(Ｙ２、Ｙ６、Ｙ１０、・・・)、 ｉ＋２番目スキャン電極(Ｙｉ＋２)を含む第３ブロック(Ｙ３、Ｙ７、Ｙ１１、・・・)及びｉ＋３番目スキャン電極(Ｙｉ＋３)を含む第４ブロック(Ｙ４、Ｙ８、Ｙ１２、・・・)で分けられる。 走査駆動部５２は第１ブロック、第２ブロック、第３ブロック及び第４ブロックそれぞれに含まれたスキャン電極で順にスキャンパルスを供給する。すなわち、走査駆動部５２は、第１ブロックに含まれるスキャン電極を連続走査する段階と、第２ブロックに含まれるスキャン電極を連続走査する段階と、第３ブロックに含まれるスキャン電極を連続走査する段階と、第４ブロックに含まれるスキャン電極を連続走査する段階を行う。 
【００５３】
繰り返しパターン制御信号を受信したデータ整列部４６は、走査手順に対応されるようにデータを整列して、整列されたデータをデータ駆動部５０で供給する。 言い換えて、データ整列部４６は特定走査手順に対応するデータをデータ駆動部５０で供給する。
【００５４】
動作過程を詳細に説明するために図３のようなデータパターンが検出されると仮定すれば、走査駆動部５２は、図１１ａ乃至図１Dのようにｉ番目スキャン電極(Ｙｉ)、 ｉ＋１番目スキャン電極(Ｙｉ＋１)、 ｉ＋２番目スキャン電極(Ｙｉ＋２)及びｉ＋３番目スキャン電極(Ｙｉ＋３)に分けてスキャンパルスを供給する。 
【００５５】
図１１ａ乃至図１１ｄに示すように、ｉ番目スキャン電極(Ｙｉ)、 ｉ＋１番目スキャン電極(Ｙｉ＋１)、 ｉ＋２番目スキャン電極(Ｙｉ＋２)及びｉ＋３番目スキャン電極(Ｙｉ＋３)にスキャンパルスが供給される時、それぞれのデータ電極(Ｘ１乃至Ｘn)では等しい極性のデータ信号が供給される。 実質的にそれぞれのデータ電極(Ｘ１内在Ｘn)に供給されるデータ信号の極性は、ｉ＋１番目スキャン電極(Ｙｉ＋１)の一番目(第２ブロックの１番目スキャン電極)、ｉ＋２番目スキャン電極(Ｙｉ＋２)の一番目(第３ブロックの１番目スキャン電極)、及び、ｉ＋３番目スキャン電極(Ｙｉ＋３)の一番目(第４ブロックの１番目スキャン電極)にスキャンパルスが供給される時変化されるが、それ以外の場合には等しい極性を維持する。 
【００５６】
一方、図４のように画素セル２０のカラム方向とロー方向でハイ論理とロー論理が繰り返されるデータパターンが入力される時にも、走査駆動部５２は図１２ａ乃至図１２ｄのように、ｉ番目スキャン電極(Ｙｉ)、 ｉ＋１番目スキャン電極(Ｙｉ＋１)、 ｉ＋２番目スキャン電極(Ｙｉ＋２)及びｉ＋３番目スキャン電極(Ｙｉ＋３)に分けてスキャンパルスを供給する。 
【００５７】
図１２ａ乃至図１２ｄに示すようにｉ番目スキャン電極(Ｙｉ) (第１ブロック)、 ｉ＋１番目スキャン電極(Ｙｉ＋１) (第２ブロック)、 ｉ＋２番目スキャン電極(Ｙｉ＋２) (第３ブロック)及びｉ＋３番目スキャン電極(Ｙｉ＋３) (第４ブロック)にスキャンパルスが供給される時、それぞれのデータ電極(Ｘ１乃至Ｘn)には等しい極性のデータ信号が供給される。 実質的にそれぞれのデータ電極(Ｘ１乃至Ｘn)に供給されるデータ信号の極性は、ｉ＋１番目スキャン電極(Ｙｉ＋１)の一番目(第２ブロックの１番目スキャン電極)、ｉ＋２番目スキャン電極(Ｙｉ＋２)の一番目(第３ブロックの１番目スキャン電極)、及び、ｉ＋３番目スキャン電極(Ｙｉ＋３)の一番目(第４ブロックの１番目スキャン電極)にスキャンパルスが供給される時変化されるが、それ以外の場合には等しい極性を維持する。
【００５８】
また図１３及び図１４に示すように、複数のスキャン電極の２個おきに同一論理パターンが繰り返されるようなデータパターンに前記スキャン方法を適用した場合にも、走査の時において同一電極での論理の変化が低減されて、データ駆動部５０に含まれたスイチング素子のスイチング回数（スイッチング周波数）を最小化することと共に、消費電力を低減することが可能である。すなわち、図１３及び図１４に示したデータパターンを走査する場合、図１２ａ乃至図１２ｄのようにｉ番目スキャン電極(Ｙｉ) (第１ブロック)、 ｉ＋１番目スキャン電極(Ｙｉ＋１) (第２ブロック)、 ｉ＋２番目スキャン電極(Ｙｉ＋２) (第３ブロック)及びｉ＋３番目スキャン電極(Ｙｉ＋３) (第４ブロック)で分けてスキャンパルスを供給ことによって、データ駆動部５０に含まれたスイチング素子のスイチング回数を最小化することと共に、消費電力を低減することが可能である。
【００５９】
一方、図５乃至図１２で説明した本発明の実施例によるプラズマディスプレイパネルのデータ信号制御方法は、２個以上のブロックで等間隔をスキャン電極を分ける方法に対して説明されているが、本発明の思想及び範囲がここに限定されることでは決してない。 例えば、４個のブロックでスキャン電極を分ける場合に、図１１及び図１２に説明された(Ｙ１、Ｙ５、Ｙ９、・・・)、 (Ｙ２、Ｙ６、Ｙ１０、・・・)、 (Ｙ３、Ｙ７、Ｙ１１、・・・)及び(Ｙ４、Ｙ８、Ｙ１２、・・・)ブロック構成だけではなく、等しい繰り返しデータパターン[(０、１、０、１、０、１)]と[(１、０、１、０、１、０)]を持って等間隔ではない場合にも適用されることができる。 言い換えれば、等しい繰り返しデータパターンが印加される奇数番目スキャン電極のブロック構成が(Ｙ３、Ｙ７、Ｙ９、Ｙ１１、・・・)、 (Ｙ５、Ｙ１３、Ｙ１７、Ｙ１９、・・・)及び(Ｙ１、Ｙ１５、Ｙ２１、Ｙ２５、・・・)などになることができるはずである。また、各ブロックに含まれるスキャン電極の個数は等くすることもでき、相異させることもできる。
【００６０】
今まで説明された本発明が多い方法で変形されることができる。このような変形は本発明の精神及び範囲を脱しないことであり、また当業者に自明なそういうあらゆる修正は次の請求範囲の内に含まれる。
【図面の簡単な説明】
【００６１】
【図１】一般的なプラズマディスプレイパネルの一のフレームを示す図。
【図２】ＰＤＰの静電用量を示す等価回路図。
【図３】プラズマディスプレイデータパターンを示す図。
【図４】他のプラズマディスプレイデータパターンを示す図。
【図５】本発明の実施例によるプラズマディスプレイパネルのデータ制御装置を示す図
【図６】ディスプレーパネルに接続される駆動装置を示す図。
【図７】図７ａ及び図７ｂは図３に示すデータパターンが入力される場合データ制御装置の第１実施例による動作過程を示す図。
【図８】図８ａ及び図８ｂは図７ａ及び図７ｂに示す動作過程にしたがってパネルに供給されるデータの極性を示す図。
【図９】図９ａ及び図９ｂは図４に示すデータパターンが入力される場合データ制御装置の第１実施例による動作過程を示す図。
【図１０】図１０ａ及び図１０ｂは図９ａ及び図９ｂに示す動作過程にしたがってパネルに供給されるデータの極性を示す図。
【図１１ａ】図３に示すデータパターンが入力される場合データ制御装置の第２実施例による動作過程を示す図。
【図１１ｂ】図３に示すデータパターンが入力される場合データ制御装置の第２実施例による動作過程を示す図。
【図１１ｃ】図３に示すデータパターンが入力される場合データ制御装置の第２実施例による動作過程を示す図。
【図１１ｄ】図３に示すデータパターンが入力される場合データ制御装置の第２実施例による動作過程を示す図。
【図１２ａ】図４に示すデータパターンが入力される場合データ制御装置の第２実施例による動作過程を示す図。
【図１２ｂ】図４に示すデータパターンが入力される場合データ制御装置の第２実施例による動作過程を示す図。
【図１２ｃ】図４に示すデータパターンが入力される場合データ制御装置の第２実施例による動作過程を示す図。
【図１２ｄ】図４に示すデータパターンが入力される場合データ制御装置の第２実施例による動作過程を示す図。
【図１３】二つのスキャン電極おきに繰り返されるデータパターンを概略的に示す図。
【図１４】二つのスキャン電極おきに繰り返されるデータパターンを概略的に示す図である。
【図１】
2006079063.tif 000003
【図２】
2006079063.tif 000004
【図３】
2006079063.tif 000005
【図４】
2006079063.tif 000006
【図５】
2006079063.tif 000007
【図６】
2006079063.tif 000008
【図７】
2006079063.tif 000009
【図８】
2006079063.tif 000010
【図９】
2006079063.tif 000011
【図１０】
2006079063.tif 000012
【図１１ａ】
2006079063.tif 000013
【図１１ｂ】
2006079063.tif 000014
【図１１ｃ】
2006079063.tif 000015
【図１１ｄ】
2006079063.tif 000016
【図１２ａ】
2006079063.tif 000017
【図１２ｂ】
2006079063.tif 000018
【図１２ｃ】
2006079063.tif 000019
【図１２ｄ】
2006079063.tif 000020
【図１３】
2006079063.tif 000021
【図１４】
2006079063.tif 000022